(57)【特許請求の範囲】
【請求項１】
それぞれが、外部に電気的に接続可能な接続部を備え、所定の方向に配列可能に構成された複数の変圧器と、
前記各変圧器の配列方向に沿って互いに平行に配列されて、それぞれが前記各接続部に電気的に接続可能に構成された複数の電気装置と、
それぞれが、前記各変圧器を個別に収容可能で、前記接続部が貫通可能な第１接続部用開口部が形成されて、前記配列方向に連結可能に構成された複数の変圧器収容体と、
それぞれが、前記各電気装置を個別に収容可能で、前記各変圧器収容体それぞれに対向するように配置可能で、対向配置されているときに前記第１接続部用開口部に連通するように第２接続部用開口部が形成された複数の電気装置収容体と、
を有する変圧器装置において、
前記複数の変圧器収容体それぞれは、前記配列方向に面する部位に通行可能な通行開口部が形成されて、当該通行開口部を閉止可能で且つ移動可能に構成された可動扉が設けられて、
前記各変圧器用収容体が前記配列方向に沿って配列されて、隣接する前記変圧器収容体同士が互いに連結されているときに、
隣接する前記各通行開口部それぞれを閉止している前記各可動扉が移動して、
前記各通行開口部が、互いに連通するように形成されていること、
を特徴とする変圧器装置。
【請求項２】
前記可動扉は、前記配列方向に沿って平行移動可能に構成されていること、を特徴とする請求項１に記載の変圧器装置。
【請求項３】
前記可動扉は、前記配列方向に沿って平行移動した後に、前記電気装置がある方に平行移動可能に構成されていること、を特徴とする請求項１または請求項２に記載の変圧器装置。
【請求項４】
前記可動扉は、略長方形の板状で、鉛直な辺に取り付けられた軸部材の周りを回転可能に構成されていることを特徴とする請求項１に記載の変圧器装置。
【請求項５】
前記可動扉は、前記電気装置がある方に平行移動可能に構成されていること、を特徴とする請求項１に記載の変圧器装置。
【請求項６】
前記各変圧器収容体それぞれは、前記変圧器を収容した状態で移送可能で、
前記各電気装置収容体は、前記電気装置を収容した状態で移送可能に構成されていること、
を特徴とする請求項１ないし請求項５のいずれか一項に記載の変圧器装置。
【請求項７】
前記可動扉は、絶縁体により構成されていることを特徴とする請求項１ないし請求項６のいずれか一項に記載の変圧器装置。
【発明の詳細な説明】
【技術分野】
【０００１】
本発明は、複数の変圧器を有する変圧器装置に関する。
【背景技術】
【０００２】
変圧器装置は、インバータ等の電気装置と、この電気装置に接続される変圧器と、を有するものがある。電気装置が、１つの盤（電気装置収容体）内に収容されるように構成される場合、この電気装置に接続される変圧器は、変圧器専用の収容体（変圧器収容体）に収容される。
【０００３】
電気装置等が収容される収容体のメンテナンスは、例えば特許文献１に開示されているものが知られている。
【先行技術文献】
【特許文献】
【０００４】
【特許文献１】特開平９−１６３５１８号公報
【発明の概要】
【発明が解決しようとする課題】
【０００５】
複数台の変圧器および複数台の電気装置を有する変圧器装置は、変圧器収容体の出入口がある側の反対側（背面側）と、電気装置収容体の背面側と、が連結されることが多い。この場合、変圧器および電気装置の配線は、変圧器収容体および電気装置収容体の背面側同士で行う必要がある。このため、変圧器および電気装置を配線するための入出力端子は、各収容体の背面部に配置される。
【０００６】
当該背面部に作業者がアクセスする場合、変圧器側面と、変圧器収容体内との間隙を通る必要がある。しかし、当該間隙は狭いことが多く、アクセスが困難なことが多い。このため、変圧器装置を組み立てるときや、メンテナンスをするときの作業性が悪いことが多い。
【０００７】
本発明は上述した課題を解決するためになされたものであり、その目的は、変圧器装置の組立て作業およびメンテナンス作業の作業効率を向上できるようにすることである。
【課題を解決するための手段】
【０００８】
上記目的を達成するための本発明に係る変圧器装置は、それぞれが、外部に電気的に接続可能な接続部を備え、所定の方向に配列可能に構成された複数の変圧器と、前記各変圧器の配列方向に沿って互いに平行に配列されて、それぞれが前記各接続部に電気的に接続可能に構成された複数の電気装置と、それぞれが、前記各変圧器を個別に収容可能で、前記接続部が貫通可能な第１接続部用開口部が形成されて、前記配列方向に連結可能に構成された複数の変圧器収容体と、それぞれが、前記各電気装置を個別に収容可能で、前記各変圧器収容体それぞれに対向するように配置可能で、対向配置されているときに前記第１接続部用開口部に連通するように第２接続部用開口部が形成された複数の電気装置収容体と、を有する変圧器装置において、前記複数の変圧器収容体それぞれは、前記配列方向に面する部位に通行可能な通行開口部が形成されて、当該通行開口部を閉止可能で且つ移動可能に構成された可動扉が設けられて、前記各変圧器用収容体が前記配列方向に沿って配列されて、隣接する前記変圧器収容体同士が互いに連結されているときに、隣接する前記各通行開口部それぞれを閉止している前記各可動扉が移動して、前記各通行開口部が、互いに連通するように形成されていること、を特徴とする。
【発明の効果】
【０００９】
本発明によれば、変圧器装置の組立て作業およびメンテナンス作業の効率を向上させることが可能になる。
【図面の簡単な説明】
【００１０】
【図１】本発明に係る第１の実施形態の変圧器装置の構成を示す概略平面図である。
【図２】図１の第１可動扉および第２可動扉が平行移動した状態を示す概略平面図である。
【図３】図１の第１可動扉の上部を示す概略斜視図である。
【図４】図１の第１可動扉の上部係合部と、第１ガイドが係合した状態を示す一部断面の側面図である。
【図５】本発明に係る第２の実施形態の変圧器装置の構成を示す概略平面図である。
【図６】本発明に係る第３の実施形態の変圧器装置の構成を示す概略平面図である。
【図７】図６のVII部の拡大平面図である。
【図８】本発明に係る第４の実施形態の変圧器装置の構成を示す概略平面図である。
【発明を実施するための形態】
【００１１】
以下、本発明に係る変圧器装置の実施形態について、図面を参照して説明する。
【００１２】
［第１の実施形態］
本発明の変圧器装置に係る第１の実施形態について、図１〜図４を用いて説明する。図１は、本実施形態の変圧器装置の構成を示す概略平面図である。図２は、図１の第１可動扉１０ａおよび第２可動扉１０ｂが平行移動した状態を示す概略平面図である。なお、図１および図２では、天井部６０の図示は省略している。
【００１３】
図３は、図１の第１可動扉１０ａの上部を示す概略斜視図である。図４は、図１の第１可動扉１０ａの上部係合部５１と、第１ガイド１８ａが係合した状態を示す一部断面の側面図である。
【００１４】
先ず、本実施形態の変圧器装置の構成について説明する。
【００１５】
当該変圧器装置は、周囲に壁７０等があり、作業スペースが小さい場所に配置される。
【００１６】
本実施形態の変圧器装置は、２個の変圧器、すなわち第１変圧器２ａおよび第２変圧器２ｂと、これらを個別に収容可能な２個の変圧器収容体、すなわち第１変圧器収容体１ａおよび第２変圧器収容体１ｂと、を有する。さらに、この変圧器装置は、第１変圧器２ａに電気的に接続可能な電気装置であって、当該変圧器装置の外部に配置された電気駆動装置（図示せず）に電気的に接続可能な第１インバータ３ａと、この第１インバータ３ａと同様の構成で第２変圧器２ｂに電気的に接続可能な第２インバータ３ｂと、これらを個別に収容する２個の電気装置（インバータ）収容体、すなわち、第１インバータ収容体４ａおよび第２インバータ収容体４ｂと、を有する。
【００１７】
第１変圧器２ａは、２個の接続部２５を有する。これらの接続部２５は、第１インバータ３ａに機械的および電気的に接続可能である。第２変圧器２ｂは、第１変圧器２ａと同様に、２個の接続部２５を有する。これらの接続部２５は、第２インバータ３ｂに機械的および電気的に接続可能である。
【００１８】
以下に、第１変圧器収容体１ａ、第２変圧器収容体１ｂ、第１インバータ収容体４ａ、および第２インバータ収容体４ｂそれぞれの構成について説明する。先ず、第１変圧器収容体１ａの構成について説明する。
【００１９】
第１変圧器収容体１ａは、所定の設置場所に設置可能で、内部に第１変圧器２ａを収容可能である。この第１変圧器収容体１ａは、略直方体状の箱型で、鉛直に延びる４本の第１鉛直フレーム１２ａを有する。これらの第１鉛直フレーム１２ａは、第１変圧器収容体１ａの４隅にそれぞれに配置されて、第１変圧器収容体１ａの強度を保っている。
【００２０】
この第１変圧器収容体１ａは、１つの鉛直面（図１および図２の上方の鉛直面）に、作業者が通り抜け可能な出入口１７が形成される（図２）。この出入口１７が形成される鉛直面に垂直な２枚の鉛直面（図１および図２の左右）それぞれに、作業者が通り抜け可能な通行開口部２０が形成される。また、出入口１７が形成される鉛直面に対向する鉛直面には、変圧器の接続部２５が通り抜け可能な接続部送側開口部１５が形成される。
【００２１】
また、第１変圧器収容体１ａは、第１出入口扉１１ａと、絶縁材料で形成された２枚の第１可動扉１０ａと、これらの第１可動扉１０ａが平行移動するための４本の第１ガイド１８ａと、を有する。
【００２２】
第１出入口扉１１ａは、出入口１７を開放および閉止可能に構成された長方形の板状である。この第１出入口扉１１ａは、一方の端部にヒンジ（図示せず）が取り付けられて、このヒンジの鉛直軸（図示せず）周りを回動して出入口１７を開閉する。
【００２３】
各第１可動扉１０ａそれぞれは、戸板５２と、戸板５２の上部に取り付けられた２個の上部係合部５１と、を有する（図３）。第１可動扉１０ａの戸板５２は、通行開口部２０を第１変圧器収容体１ａの内側から閉止可能な長方形の板状である。１枚の戸板５２に取り付けられた２個の上部係合部５１は、後述する１組のガイド対に係合する。
【００２４】
４本の第１ガイド１８ａは、第１変圧器収容体１ａの天井部６０（図４）に固定され、２本で１組のガイド対を構成する。すなわち、第１変圧器収容体１ａは、２組のガイド対を有する。
【００２５】
１組のガイド対を構成する２本の第１ガイド１８ａは、互いに平行で且つ水平に配置される。また、これらの第１ガイド１８ａは、それぞれ第１可動扉１０ａが配置される鉛直面に垂直に配置される。第１変圧器収容体１ａの図１における左右それぞれに、１組ずつガイド対が配置される。１組のガイド対に、１枚の第１可動扉１０ａが係合する。
【００２６】
図示は省略しているが、第１ガイド１８ａの外側の端部、すなわち、第１変圧器収容体１ａの外側に面する端部は、第１変圧器収容体１ａの外側に露出した状態である。すなわち、当該端部が、通行開口部２０が形成される鉛直面と、同じ面になるように露出される。この端部は、後述する第２ガイド１８ｂの端部と互いに連結可能に構成される。
【００２７】
１本の第１ガイド１８ａと、１個の上部係合部５１とが、互いに係合する。第１ガイド１８ａの長手方向に沿って、上部係合部５１が平行移動可能に構成される。すなわち、１組のガイド対の長手方向（図１の左右方向）に沿って、第１可動扉１０ａが水平に平行移動可能である。また、第１可動扉１０ａは、平行移動しないときはロックされて動かないように構成される。
【００２８】
次に、第２変圧器収容体１ｂの構成について説明する。
【００２９】
第２変圧器収容体１ｂは、第１変圧器収容体１ａと同様の形状で、第２変圧器２ｂを収容可能に構成されて、第１変圧器収容体１ａに連結可能である。この第２変圧器収容体１ｂは、略直方体状の箱型で、鉛直に延びる４本の第２鉛直フレーム１２ｂを有する。これらの第２鉛直フレーム１２ｂは、第２変圧器収容体１ｂの４隅それぞれに取り付けられて、第２変圧器収容体１ｂの強度を向上させる。
【００３０】
第２変圧器収容体１ｂは、第１変圧器収容体１ａと同様に、出入口１７、２個の通行開口部２０、接続部送側開口部１５が形成され、当該出入口１７を開閉する第２出入口扉１１ｂと、絶縁材料で形成されて通行開口部２０それぞれを開閉する２枚の第２可動扉１０ｂと、４本の第２ガイド１８ｂと、を有する。
【００３１】
４本の第２ガイド１８ｂは、上述した４本の第１ガイド１８ａと同様に、２組のガイド対を構成する。また、第２ガイド１８ｂの外側の端部は、第２変圧器収容体１ｂの外側に露出した状態である。
【００３２】
２組のガイド対それぞれには、第２可動扉１０ｂの上部係合部５１が係合する。各第２可動扉１０ｂは、第１可動扉１０ａと同様の構成で、ガイド対の長手方向に沿って水平の平行移動可能に構成される。
【００３３】
また、第２変圧器収容体１ｂは、第１変圧器収容体１ａに連結可能である。以下に、第２変圧器収容体１ｂが第１変圧器収容体１ａに連結される状態について説明する。
【００３４】
第１変圧器収容体１ａおよび第２変圧器収容体１ｂは、それぞれの第１可動扉１０ａおよび第２可動扉１０ｂが対向する状態で連結される。当該連結の詳細は省略するが、ボルト等で連結固定される。
【００３５】
このとき、互いに対向するガイド対、すなわち第１可動扉１０ａに係合するガイド対および第２可動扉１０ｂに係合するガイド対は、それぞれの端部同士が互いに連結する。すなわち、第１ガイド１８ａおよび第２ガイド１８ｂそれぞれの外側に露出する端部が、互いに連結される。
【００３６】
次に、第１インバータ収容体４ａの構成について説明する。
【００３７】
第１インバータ収容体４ａは、第１インバータ３ａを収容可能な略直方体状の箱型で、鉛直に延びる４本の第３鉛直フレーム４２ａを有する。これらの第３鉛直フレーム４２ａは、第１インバータ収容体４ａの４隅それぞれに取り付けられて、第１インバータ収容体４ａの強度を向上させる。
【００３８】
この第１インバータ収容体４ａは、１つの鉛直面（図１の下方の鉛直面）に、作業者が通り抜け可能な出入口１７が形成される。また、出入口１７が形成される鉛直面に対向する鉛直面には、第１変圧器２ａの接続部２５が通り抜け可能な接続部受側開口部４５が形成される。当該出入口１７は、第３出入口扉４７ａにより開放および閉止される。
【００３９】
第１インバータ収容体４ａは、第１変圧器収容体１ａに連結可能である。第１インバータ収容体４ａが第１変圧器収容体１ａに連結されるときに、第１インバータ収容体４ａの接続部受側開口部４５が、第１変圧器収容体１ａの接続部送側開口部１５と連通する。
【００４０】
第１インバータ収容体４ａに形成される出入口１７は、第１出入口扉１１ａと同様に形成された第３出入口扉４７ａにより開放および閉止される。
【００４１】
続いて、第２インバータ収容体４ｂの構成について説明する。
【００４２】
第２インバータ収容体４ｂは、第２インバータ３ｂを収容可能な略直方体状の箱型で、鉛直に延びる４本の第４鉛直フレーム４２ｂを有する。これらの第４鉛直フレーム４２ｂは、第２インバータ収容体４ｂの４隅それぞれに取り付けられて、第２インバータ収容体４ｂの強度を向上させる。この第２インバータ収容体４ｂは、第１インバータ収容体４ａと同様に、出入口１７および接続部受側開口部４５が形成される。当該出入口１７は、第３出入口扉４７ａと同様に形成された第４出入口扉４７ｂにより開放および閉止される。
【００４３】
第２インバータ収容体４ｂは、第２変圧器収容体１ｂおよび第１インバータ収容体４ａそれぞれに、ボルト等により連結可能である。第２インバータ収容体４ｂが第２変圧器収容体１ｂに連結されるときに、第２インバータ収容体４ｂの接続部受側開口部４５が、第２変圧器収容体１ｂの接続部送側開口部１５と連通する。
【００４４】
また、詳細な図示は省略しているが、第２インバータ収容体４ｂは、第１インバータ収容体４ａに連結されて、第１インバータ３ａおよび第２インバータ３ｂが電気的に互いに接続可能に構成されている。
【００４５】
本実施形態の４個の収容体、すなわち、第１変圧器収容体１ａ、第２変圧器収容体１ｂ、第１インバータ収容体４ａおよび第２インバータ収容体４ｂは、それぞれ第１変圧器２ａ、第２変圧器２ｂ、第１インバータ３ａおよび第２インバータ３ｂが収容された状態で、個別に移送可能に構成される。
【００４６】
続いて、本実施形態の変圧器装置の組立て作業について説明する。
【００４７】
先ず、４個の収容体、すなわち、第１変圧器収容体１ａ、第２変圧器収容体１ｂ、第１インバータ収容体４ａおよび第２インバータ収容体４ｂを、それぞれ第１変圧器２ａ、第２変圧器２ｂ、第１インバータ３ａおよび第２インバータ３ｂが収容された状態で、個別に設置現場まで移送する。この後に、第１変圧器収容体１ａを、所定の設置場所に設置する。
【００４８】
次に、第２変圧器収容体１ｂを、第１変圧器収容体１ａの隣に、第１可動扉１０ａおよび第２可動扉１０ｂが互いに対向するように配置する。このとき、第１変圧器収容体１ａおよび第２変圧器収容体１ｂそれぞれの接続部送側開口部１５は、開放されている。
【００４９】
この状態で、ボルト等で第１変圧器収容体１ａおよび第２変圧器収容体１ｂを連結する。このとき、対向する第１および第２可動扉１０ａ、１０ｂが係合するガイド対同士が互いに連結される。
【００５０】
次に、第１インバータ収容体４ａに形成された接続部受側開口部４５が、第１変圧器収容体１ａの接続部送側開口部１５に連通するように、第１インバータ収容体４ａを配置する。この状態で、第１インバータ収容体４ａを第１変圧器収容体１ａにボルト等により連結する。
【００５１】
続いて、第２変圧器収容体１ｂに第２インバータ収容体４ｂを連結させる。このとき、第２インバータ収容体４ｂに形成された接続部受側開口部４５は、第２変圧器収容体１ｂの接続部送側開口部１５に連通する。一方、第２インバータ収容体４ｂは、第１インバータ収容体４ａにも連結され、第１および第２インバータ３ａ、３ｂが互いに連結される。
【００５２】
次に、対向する第１可動扉１０ａおよび第２可動扉１０ｂのロックを外して、ガイド対に沿って移動可能な状態にする。この後に、第１可動扉１０ａおよび第２可動扉１０ｂを、連結されたガイド対の長手方向で、第２変圧器２ｂがある側（図２の右方向）に水平に平行移動させる。
【００５３】
その結果、第１変圧器２ａの接続部２５を第１インバータ３ａに連結するための作業スペースが広くなる。この後に、互いに連通する接続部送側開口部１５および接続部受側開口部４５それぞれに第１変圧器２ａの接続部２５を通り抜けさせて、第１変圧器２ａの接続部２５を第１インバータ３ａの入出力端子（図示せず）等に電気的に接続する。
【００５４】
この後に、第１および第２可動扉１０ａ、１０ｂを、第１変圧器２ａがある（図２の左方向）に水平に平行移動させて、第２変圧器２ｂの接続部２５を第２インバータ３ｂに連結するためのスペースを広くする。この状態で、第２変圧器２ｂの接続部２５を第２インバータ３ｂの入出力端子等に電気的に接続する。
【００５５】
以上の説明からわかるように、本実施形態によれば、変圧器およびインバータが互いに接続される場所が広くなり、容易にアクセス可能になる。これにより、変圧器装置の長大化を抑制し、且つ変圧器装置の組立て作業およびメンテナンス作業の効率を向上させることが可能になる。
【００５６】
また、可動扉１０ａ、１０ｂが絶縁材で形成されているため、変圧器２ａ、２ｂと可動扉１０ａ、１０ｂとの絶縁距離を考慮する必要がない。このため、作業者が通行可能なスペースを確保するだけでよいので、収容体の設計の自由度が向上する。
【００５７】
［第２の実施形態］
本発明に係る第２の実施形態の変圧器装置について、図５を用いて説明する。図５は、本実施形態の変圧器装置の構成を示す概略平面図である。本実施形態は、第１の実施形態（図１〜図４）の変形例であって、第１の実施形態と同一部分または類似部分には、同一符号を付して、重複説明を省略する。
【００５８】
本実施形態の第１変圧器収容体１ａは、天井部６０に取り付けられた第１扉送側ガイド１９ａを有する。この第１扉送側ガイド１９ａは、第１ガイド１８ａにより構成されるガイド対の内側の端部、すなわち、第１変圧器収容体１ａ内の各第１ガイド１８ａの端部に連結されている。第１扉送側ガイド１９ａは、第１ガイド１８ａに互いに垂直に配置され、第１可動扉１０ａの戸板５２（図４参照）の面に沿う方向（図５の上下方向）に第１可動扉１０ａ等が水平に平行移動可能に構成される。
【００５９】
第１インバータ収容体４ａは、接続部受側開口部４５が形成される鉛直面に、開口部が形成されている。当該開口部は、詳細な図示は省略しているが、第１変圧器収容体１ａおよび第２インバータ収容体４ｂそれぞれに隣接する第３鉛直フレーム４２ａの付近に開口し、第１可動扉１０ａおよび第２可動扉１０ｂが重なった状態でこれらの側面から挿入可能である。
【００６０】
また、第１インバータ収容体４ａは、当該開口部の上方の天井部６０に、第１扉受側ガイド４９ａが取り付けられている。この第１扉受側ガイド４９ａは、第１変圧器収容体１ａの第１扉送側ガイド１９ａと合わせて１本の直線状のガイドになるように、第１扉送側ガイド１９ａに連結される。
【００６１】
第２変圧器収容体１ｂは、第２扉送側ガイド１９ｂを有する。この第２扉送側ガイド１９ｂは、第１変圧器収容体１ａに配置されるものと同様に、第２ガイド１８ｂにより構成されるガイド対の内側の端部、すなわち、第２変圧器収容体１ｂ内の各第２ガイド１８ｂの端部に連結されている。当該第２扉送側ガイド１９ｂは、第２ガイド１８ｂに互いに垂直に配置され、第２可動扉１０ｂの戸板５２の面に沿う方向（図５の上下方向）に第２可動扉１０ｂ等が水平に平行移動可能に構成される。
【００６２】
第１インバータ収容体４ａは、接続部受側開口部４５が形成される鉛直面に、第１可動扉１０ａ等が挿入可能な開口部が形成されている。当該開口部は、詳細な図示は省略しているが、第２変圧器収容体１ｂおよび第１インバータ収容体４ａそれぞれに隣接する第４鉛直フレーム４２ｂの付近に開口する。
【００６３】
また、第２インバータ収容体４ｂは、第１インバータ収容体４ａと同様に、当該開口部の上方の天井部６０に、第２扉受側ガイド４９ｂが取り付けられている。
【００６４】
本実施形態の対向する第１可動扉１０ａおよび第２可動扉１０ｂは、第１の実施形態と同様に、ガイド対に沿って平行移動する。図５の例では、第２変圧器２ｂがある方（図５の右方）に平行移動する。この後に、第１および第２可動扉１０ａ、１０ｂは一体または個別に、第２インバータ３ｂがある方（図５の下方）に第２扉送側ガイド１９ｂおよび第２扉受側ガイド４９ｂに沿って移動する。
【００６５】
これにより、第１変圧器２ａの接続部２５を第１インバータ３ａに連結するための作業スペースが広くなり、第１の実施形態と同様の効果を得ることが可能になる。
【００６６】
［第３の実施形態］
本発明に係る第３の実施形態の変圧器装置について、図６および図７を用いて説明する。図６は、本実施形態の変圧器装置の構成を示す概略平面図である。図７は、図６のVII部の拡大平面図である。本実施形態は、第２の実施形態（図５）の変形例であって、第２の実施形態と同一部分または類似部分には、同一符号を付して、重複説明を省略する。
【００６７】
本実施形態の第１変圧器収容体１ａの第１可動扉１０ａは、戸板５２の面に沿って水平な方向に（図６における上下方向）に平行移動可能に構成されている。第２変圧器収容体１ｂの第２可動扉１０ｂも、第１可動扉１０ａと同様に、（図６における上下方向）に平行移動可能である。
【００６８】
第１変圧器収容体１ａに係る、第１および第２変圧器収容体１ａ、１ｂの配列方向（図６の左右方向）の寸法は、第１インバータ収容体４ａの当該方向の寸法に比べて小さい。第１インバータ収容体４ａおよび第１変圧器収容体１ａが連結されているときに、第１インバータ収容体４ａが当該方向に突出した部分で接続部受側開口部４５が形成された鉛直面には、第１可動扉１０ａが通り抜け可能な開口部が形成されている。
【００６９】
当該開口部は、第１変圧器収容体１ａおよび第２インバータ収容体４ｂそれぞれに隣接する第３鉛直フレーム４２ａの付近に開口する（図７）。
【００７０】
第２変圧器収容体１ｂに係る、当該方向（図６の左右方向）の寸法は、第２インバータ収容体４ｂの当該方向の寸法に比べて小さい。第２インバータ収容体４ｂおよび第２変圧器収容体１ｂが連結されているときに、第２インバータ収容体４ｂが当該方向に突出した部分で接続部受側開口部４５が形成された鉛直面には、第２可動扉１０ｂが収容可能な開口部が形成されている。
【００７１】
当該開口部は、第２変圧器収容体１ｂおよび第１インバータ収容体４ａそれぞれに隣接する第４鉛直フレーム４２ｂの付近に開口する。
【００７２】
第１可動扉１０ａおよび第２可動扉１０ｂがそれぞれ平行移動して、第１および第２インバータ収容体４ａ、４ｂに形成された各開口部を通り抜けると、変圧器の接続部２５をインバータに連結するためのスペースが広くなり、第２の実施形態と同様の効果を得ることが可能になる。
【００７３】
［第４の実施形態］
本発明に係る第４の実施形態の変圧器装置について、図８を用いて説明する。図８は、本実施形態の変圧器装置の構成を示す概略平面図である。本実施形態は、第１の実施形態（図１〜図４）の変形例であって、第１の実施形態と同一部分または類似部分には、同一符号を付して、重複説明を省略する。
【００７４】
本実施形態の第１変圧器収容体１ａは、通行開口部２０の水平方向（図８における上下方向）の両側それぞれの縁部に、第１ヒンジ１３ａが取り付けられている。各第１ヒンジ１３ａ、すなわち、図８における上方および下方の第１ヒンジ１３ａそれぞれには、それぞれの軸周りを回動可能な第１開扉９１ａが取り付けられている。
【００７５】
第２変圧器収容体１ｂは、通行開口部２０の縁部に、第２ヒンジ１３ｂが取り付けられている。各ヒンジ、すなわち、図８における上方および下方の第２ヒンジ１３ｂそれぞれには、それぞれの軸周りを回動可能な第２開扉９１ｂが取り付けられている。
【００７６】
図８の例では、上方にある第１開扉９１ａおよび第２開扉９１ｂは、それぞれ時計周りに第１変圧器２ａに近づくように回動する。下方にある第１開扉９１ａおよび第２開扉９１ｂは、それぞれ時計周り第２変圧器２ｂに近づくように回動する。
【００７７】
これにより、第１変圧器２ａの接続部２５を第１インバータ３ａに連結するための作業スペースが広くなり、第１の実施形態と同様の効果を得ることが可能になる。
【００７８】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００７９】
例えば、第１〜第４実施形態では、第１および第２変圧器２ａ、２ｂは、インバータに接続されているがこれに限らない。入出力端子等を有する電気装置であればよい。
【００８０】
また、第１、第２、および第４の実施形態の変圧器装置は、２組の変圧器およびインバータで構成されているが、これに限らず、３組以上でもよい。
【符号の説明】
【００８１】
１ａ…第１変圧器収容体、１ｂ…第２変圧器収容体、２ａ…第１変圧器、２ｂ…第２変圧器、３ａ…第１インバータ、３ｂ…第２インバータ、４ａ…第１インバータ収容体、４ｂ…第２インバータ収容体、１０ａ…第１可動扉、１０ｂ…第２可動扉、１１ａ…第１出入口扉、１１ｂ…第２出入口扉、１２ａ…第１鉛直フレーム、１２ｂ…第２鉛直フレーム、１３ａ…第１ヒンジ、１３ｂ…第２ヒンジ、１５…接続部送側開口部、１７…出入口、１８ａ…第１ガイド、１８ｂ…第２ガイド、１９ａ…第１扉送側ガイド、１９ｂ…第２扉送側ガイド、２０…通行開口部、２５…接続部、４２ａ…第３鉛直フレーム、４２ｂ…第４鉛直フレーム、４５…接続部受側開口部、４７ａ…第３出入口扉、４７ｂ…第４出入口扉、４９ａ…第１扉受側ガイド、４９ｂ…第２扉受側ガイド、５１…上部係合部、５２…戸板、６０…天井部、７０…壁、９１ａ…第１開扉、９１ｂ…第２開扉
【図１】
0005438646.tif 000002
【図２】
0005438646.tif 000003
【図３】
0005438646.tif 000004
【図４】
0005438646.tif 000005
【図５】
0005438646.tif 000006
【図６】
0005438646.tif 000007
【図７】
0005438646.tif 000008
【図８】
0005438646.tif 000009